(57)【要約】【課題】視力の弱い被検者が、ＭＲＩ（Ｍａｇｎｅｔｉｃ  Ｒｅｓｏｎａｎｃｅ  Ｉｍａｇｉｎｇ）装置で検査を実施している環境下において、提示される画像等の確認に用いることができる検眼レンズを提供する。【解決手段】検眼レンズ１０は、視力の矯正に用いられる検眼レンズであって、ガラスレンズ１１と、ガラスレンズ１１の縁を覆うリム１２と、リム１２に付属する摘み部１３とを備え、ガラスレンズ１１、リム１２および摘み部１３は、磁性を帯びない非磁性体で形成されている。【選択図】図１
0003159777.tif 000002
【実用新案登録請求の範囲】
【請求項１】
視力の矯正に用いられる検眼レンズであって、
ガラスレンズと、
前記ガラスレンズの縁を覆うリムと、
前記リムに付属する摘み部とを備え、
前記ガラスレンズ、前記リムおよび前記摘み部は、磁性を帯びない非磁性体で形成されている
検眼レンズ。
【請求項２】
前記ガラスレンズは、クラウンガラスで形成されている
請求項１に記載の検眼レンズ。
【請求項３】
前記リムおよび前記摘み部は、硬質ビニル、硬質シリコン、軟質塩化ビニルまたは純チタンで形成されている
請求項１または請求項２に記載の検眼レンズ。
【請求項４】
前記検眼レンズは、さらに、前記ガラスレンズと前記リムとが嵌合した状態で、前記リムに取り付けられることにより、前記ガラスレンズと前記リムとを固定するネジを備え、
前記ネジは、磁性を帯びない非磁性体で形成されている
請求項１〜３のいずれか１項に記載の検眼レンズ。
【請求項５】
視力の矯正に用いられる検眼レンズを装填するための検眼用フレームであって、
被検者が前記検眼用フレームを装着するためのフレーム部と、
前記フレーム部に付属し、前記検眼レンズを装填するためのフォルダ部とを備え、
前記フレーム部および前記フォルダ部は、磁性を帯びない非磁性体で形成されている
検眼用フレーム。
【請求項６】
前記フレーム部および前記フォルダ部は、硬質ビニル、硬質シリコン、軟質塩化ビニルまたは純チタンで形成されている
請求項５に記載の検眼用フレーム。
【請求項７】
前記検眼用フレームは、さらに、前記被検者が前記検眼用フレームを装着したとき、前記被検者の下方向の像を反射によって被検者に提示するミラーを備え、
前記ミラーは、磁性を帯びない非磁性体で形成されている
請求項５または請求項６に記載の検眼用フレーム。
【請求項８】
磁場共鳴現象を利用して被検者の内部の画像を生成するＭＲＩ装置であって、
磁場を発生させる磁場発生部と、
前記被検者を前記磁場に載置するための寝台と、
前記被検者をスキャンすることにより、データを収集するスキャン部と、
前記データから前記画像を生成する画像生成部と、
前記画像を表示することにより、前記画像を前記被検者に提示するための表示部と、
請求項１〜４のいずれか１項に記載の検眼レンズと、
請求項５〜７にいずれか１項に記載の検眼用フレームとを備える
ＭＲＩ装置。
【考案の詳細な説明】
【技術分野】
【０００１】
本考案は、視力の矯正に用いられる検眼レンズ、および、検眼レンズを装填するための検眼用フレームに関する。
【背景技術】
【０００２】
従来、検眼レンズを利用して、検眼が実施されている。通常、検眼に利用される検眼レンズの縁は、金属製のリムで覆われている。そして、検眼レンズを保持するための摘み部がリムに付属している。検査人は、検眼レンズの摘み部を保持して、被検者が装着している検眼用フレームに検眼レンズを装填する。そして、検査人は、適宜、検眼レンズを入れ替えながら、被検者の視力を測定することにより、被検者に適したレンズを選定する。
【０００３】
また、検眼レンズのレンズ部分は、ガラスレンズである場合が多いが、プラスチックレンズである場合もある。
【０００４】
レンズ部分がプラスチックレンズである検眼レンズには、プラスチックレンズと摘み部とが一体として形成されている検眼レンズがある（例えば、特許文献１参照）。この場合、検眼レンズが、全体として脆くなる。そこで、このような検眼レンズの耐久性を確保するため、プラスチックレンズを覆う樹脂製のリムを備える検眼レンズがある（例えば、特許文献２参照）。
【先行技術文献】
【特許文献】
【０００５】
【特許文献１】国際公開第９８／２６７０７号
【特許文献２】特開２００３−２７９９０３号公報
【考案の概要】
【考案が解決しようとする課題】
【０００６】
しかしながら、特許文献１に記載の検眼レンズのように、プラスチックレンズと摘み部とを一体形成する場合、専用の金型が必要となる。検眼レンズは、度数に応じて複数の種類が必要になるため、すべてを準備するには、多大なコストが必要になる。
【０００７】
また、特許文献１および特許文献２では、プラスチックレンズが用いられている。しかし、プラスチックレンズは屈折率が小さい。そのため、強い度数が必要な場合、ガラスレンズが必要になる。したがって、プラスチックレンズで構成される検眼レンズは、すべての被検者にとって、十分な矯正視力を提供するものではない。
【０００８】
また、検眼レンズを使用できない場所がある。例えば、ＭＲＩ（Ｍａｇｎｅｔｉｃ  Ｒｅｓｏｎａｎｃｅ  Ｉｍａｇｉｎｇ）装置で検査を実施している環境下では、検眼レンズを使用することができない。以下、具体的に説明する。
【０００９】
ＭＲＩ装置は、被検者の生体内を検査するために利用される装置である。ＭＲＩ装置は、核磁気共鳴現象を利用して、被検者の生体内の画像を生成する。核磁気共鳴現象とは、磁場と原子核との間に共鳴が起こる現象のことである。
【００１０】
被検者は、生体内の画像を確認することにより、自身の症状を的確に把握することができる。さらに、被検者が、検査を行っている間に、生体内の画像を確認することができれば、被検者は、自身の症状をより的確に把握することができる。そのため、被検者が検査を行っている間に、生成した画像を被検者に提示するＭＲＩ装置がある。
【００１１】
このようなＭＲＩ装置は、生体内の画像またはその他の映像を被検者に提示することにより、被検者をリラックスさせることもできる。検査中、被検者は、閉空間に収容されるため、ストレスを感じる。そのため、被検者をリラックスさせる効果は、重要である。
【００１２】
しかし、ＭＲＩ装置が磁場を利用するため、検査中、被検者は、磁場に影響を与える眼鏡等を装着することができない。そのため、視力が弱い被検者は、提示された画像を確認することができない。同様に、被検者は、検査中、磁場に影響を与える検眼レンズを使うことができない。そのため、被検者は、検眼レンズを利用して、提示された画像を確認することもできない。
【００１３】
また、特許文献２に記載の検眼レンズは、着色樹脂が用いられているが、このような検眼レンズの着色剤等に金属が含まれ、検眼レンズが磁場に影響を与える場合、ＭＲＩ装置で利用できない。
【００１４】
そこで、本考案は、視力の弱い被検者が、ＭＲＩ装置で検査を実施している環境下において、提示される画像等の確認に用いることができる検眼レンズを提供することを目的とする。
【課題を解決するための手段】
【００１５】
上記課題を解決するため、本考案に係る検眼レンズは、視力の矯正に用いられる検眼レンズであって、ガラスレンズと、前記ガラスレンズの縁を覆うリムと、前記リムに付属する摘み部とを備え、前記ガラスレンズ、前記リムおよび前記摘み部は、磁性を帯びない非磁性体で形成されている。
【００１６】
これにより、被検者は、ＭＲＩ装置で検査を実施している環境下で検眼レンズを使用できる。また、検眼レンズは、ガラスレンズで構成されているため、広範な度数に対応できる。
【００１７】
また、前記ガラスレンズは、クラウンガラスで形成されていることが好ましい。
【００１８】
これにより、ガラスレンズによって発生する磁場への影響を低減させることができる。
【００１９】
また、前記リムおよび前記摘み部は、硬質ビニル、硬質シリコン、軟質塩化ビニルまたは純チタンで形成されていることが好ましい。
【００２０】
これにより、検眼レンズを構成する部材の強度を確保することができる。
【００２１】
また、前記検眼レンズは、さらに、前記ガラスレンズと前記リムとが嵌合した状態で、前記リムに取り付けられることにより、前記ガラスレンズと前記リムとを固定するネジを備え、前記ネジは、磁性を帯びない非磁性体で形成されていることが好ましい。
【００２２】
これにより、ガラスレンズがリムから外れないように固定される。固定するために用いられる部品も磁性を帯びないため、被検者は、ＭＲＩ装置で検査を実施している環境下で検眼レンズを使用できる。
【００２３】
また、本考案に係る検眼フレームは、視力の矯正に用いられる検眼レンズを装填するための検眼用フレームであって、被検者が前記検眼用フレームを装着するためのフレーム部と、前記フレーム部に付属し、前記検眼レンズを装填するためのフォルダ部とを備え、前記フレーム部および前記フォルダ部は、磁性を帯びない非磁性体で形成されている。
【００２４】
これにより、被検者は、ＭＲＩ装置で検査を実施している環境下で検眼用フレームを装着できる。検眼用フレームは、眼鏡用フレームとは異なり、レンズの交換が容易である。したがって、被検者は、適切な矯正視力を容易に得ることができる。
【００２５】
また、前記フレーム部および前記フォルダ部は、硬質ビニル、硬質シリコン、軟質塩化ビニルまたは純チタンで形成されていることが好ましい。
【００２６】
これにより、検眼用フレームを構成する部材の強度を確保することができる。
【００２７】
また、前記検眼用フレームは、さらに、前記被検者が前記検眼用フレームを装着したとき、前記被検者の下方向の像を反射によって被検者に提示するミラーを備え、前記ミラーは、磁性を帯びない非磁性体で形成されていることが好ましい。
【００２８】
これにより、被検者は、ＭＲＩ装置にミラーが備えられていない場合であっても、提示される画像等を確認することができる。
【００２９】
また、本考案に係るＭＲＩ装置は、磁場共鳴現象を利用して被検者の内部の画像を生成するＭＲＩ装置であって、磁場を発生させる磁場発生部と、前記被検者を前記磁場に載置するための寝台と、前記被検者をスキャンすることにより、データを収集するスキャン部と、前記データから前記画像を生成する画像生成部と、前記画像を表示することにより、前記画像を前記被検者に提示するための表示部と、前記検眼レンズと、前記検眼用フレームとを備える。
【００３０】
これにより、視力の弱い被検者が、ＭＲＩ検査中に、提示される画像を確認することができる。
【考案の効果】
【００３１】
本考案により、視力の弱い被検者が、ＭＲＩ装置で提示される画像を確認できる。
【図面の簡単な説明】
【００３２】
【図１】図１は、実施の形態における検眼レンズの構成図である。
【図２】図２は、実施の形態におけるガラスレンズの固定方法を示す概念図である。
【図３】図３は、実施の形態における検眼レンズの変形例の構成図である。
【図４】図４は、実施の形態における検眼レンズの断面を示す概念図である。
【図５】図５は、実施の形態における検眼用フレームの構成図である。
【図６】図６は、実施の形態における検眼用フレームの利用時の概念図である。
【図７】図７は、実施の形態におけるＭＲＩ装置の利用時の概念図である。
【図８】図８は、実施の形態におけるＭＲＩ装置の構成図である。
【図９】図９は、検眼用フレームの変形例の構成図である。
【図１０】図１０は、検眼用フレームの変形例の詳細を示す図である。
【図１１】図１１は、検眼用フレームの変形例の利用時の概念図である。
【考案を実施するための形態】
【００３３】
本実施の形態について、図面を用いて説明する。
【００３４】
まず、本実施の形態における検眼レンズについて説明する。
【００３５】
図１は、本実施の形態における検眼レンズの構成図である。
【００３６】
図１に示された検眼レンズ１０は、ガラスレンズ１１とリム１２と摘み部１３とネジ１４とを備える。
【００３７】
ガラスレンズ１１は、透明なガラスのレンズである。ガラスレンズ１１の表面は、凹状または凸状になっている。これにより、ガラスレンズ１１は、光を屈折させ、被検者に所望の矯正視力を提供する。そして、ガラスレンズ１１は、プラスチックレンズよりも屈折率が高いため、強い度数を提供することができる。
【００３８】
また、ガラスレンズ１１は、クラウンガラスで形成されている。クラウンガラスは、磁性を帯びない非磁性体である。したがって、ＭＲＩ装置が利用されている環境下において、核磁気共鳴現象への影響が抑制される。なお、着色剤およびコーティング剤等には、金属が含まれる場合がある。このような金属が核磁気共鳴現象へ影響を及ぼすため、着色剤およびコーティング剤を用いないほうが好ましい。つまり、ガラスレンズ１１は、純粋なクラウンガラスで形成されていることが好ましい。なお、ガラスレンズ１１は、磁性を帯びない他のガラスで形成されてもよい。
【００３９】
リム１２は、ガラスレンズ１１の縁を覆うように、設けられる。これにより、リム１２は、ガラスレンズ１１を保護するとともに、検査人および被検者が負傷しないように、検査人および被検者を保護する。リム１２は、磁性を帯びない非磁性体で形成されている。これにより、ＭＲＩ装置での核磁気共鳴現象への影響が抑制される。
【００４０】
また、リム１２は、通常のプラスチックよりも強度のある、硬質ビニル、硬質シリコンまたは軟質塩化ビニル等で形成されていることが好ましい。また、さらに強度のある純チタンで形成されていてもよい。これにより、検眼レンズ１０の耐久性が向上する。なお、これらの材料は、磁性を帯びない非磁性体である。
【００４１】
摘み部１３は、主に検査人が検眼レンズ１０を保持するため、リム１２に結合して設けられる。摘み部１３は、リム１２と同様に、磁性を帯びない非磁性体で形成されている。これにより、ＭＲＩ装置での核磁気共鳴現象への影響が抑制される。
【００４２】
また、摘み部１３は、リム１２と同様に、通常のプラスチックよりも強度のある、硬質ビニル、硬質シリコンまたは軟質塩化ビニル等で形成されていることが好ましい。また、さらに強度のある純チタンで形成されていてもよい。これにより、検眼レンズ１０の耐久性が向上する。
【００４３】
リム１２と摘み部１３とは、一体形成されてもよい。これにより、コストの増加が抑制される。なお、摘み部１３とリム１２とが一体形成されない場合、摘み部１３は、ネジ等によりリム１２に取り付けられる。
【００４４】
ネジ１４は、ガラスレンズ１１とリム１２とを固定する。ネジ１４は、リム１２と同様に、磁性を帯びない非磁性体で形成されている。これにより、ＭＲＩ装置での核磁気共鳴現象への影響が抑制される。また、ネジ１４は、リム１２と同様に、通常のプラスチックよりも強度のある、硬質ビニル、硬質シリコンまたは軟質塩化ビニル等で形成されていることが好ましい。また、さらに強度のある純チタンで形成されていてもよい。これにより、検眼レンズ１０の耐久性が向上する。
【００４５】
図２は、図１に示されたガラスレンズ１１の固定方法を示す概念図である。
【００４６】
まず、ネジ１４が外された状態で、ガラスレンズ１１をリム１２に嵌合させる。リム１２は、ネジ１４が外された状態で、ガラスレンズ１１を内部に嵌合させることができる程度の可塑性を有する。
【００４７】
次に、ネジ１４が、リム１２に取り付けられる。これにより、ガラスレンズ１１とリム１２とが固定される。
【００４８】
なお、本実施の形態では、検眼レンズ１０において、ガラスレンズ１１とリム１２とが嵌合し、ネジ１４により、ガラスレンズ１１とリム１２とが固定される例が示されている。しかし、接着剤により、ガラスレンズ１１とリム１２とが固定されてもよい。あるいは、リム１２が、熱可塑性樹脂または弾性樹脂で形成され、ガラスレンズ１１とリム１２とが、リム１２の材質を利用することにより、固定されてもよい。このような場合、ネジ１４は、無くてもよい。
【００４９】
図３は、図１に示された検眼レンズ１０の変形例の構成図である。図３に示されるようにネジ１４が、摘み部１３の根元付近に取り付けられてもよい。これにより、ガラスレンズ１１とリム１２とが固定される。そして、リム１２の周囲が滑らかになるため、検眼レンズ１０の形状が、使いやすく美的外観にも優れた形状になる。
【００５０】
図４は、図１に示された検眼レンズ１０のＡ−Ａ断面を示す概念図である。
【００５１】
図４に示されたガラスレンズ１１は、凸面と凹面とを有する。凹面は、凸面より急な勾配が設けられている。すなわち、ガラスレンズ１１は、近視用の凹レンズである。図４では、近視用の凹レンズの例を示しているが、ガラスレンズ１１は、遠視用の凸レンズであっても構わない。また、ガラスレンズ１１が有する２面のうち１面が平面であってもよい。また、２面とも凹面であってもよいし、２面とも凸面であってもよい。
【００５２】
ガラスレンズ１１の外周には、三角状の突出部が設けられている。そして、リム１２の内周には、ガラスレンズ１１の外周の突出部と嵌合するような溝がある。これにより、ガラスレンズ１１とリム１２とが嵌合する。
【００５３】
上記に示された検眼レンズ１０は、全体として、磁性を帯びない非磁性体で構成される。これにより、磁場への影響が抑制される。したがって、ＭＲＩ装置が利用されている環境下において、被検者は、検眼レンズ１０を用いることができる。
【００５４】
次に、本実施の形態における検眼用フレームについて説明する。
【００５５】
図５は、本実施の形態における検眼用フレームの構成図である。
【００５６】
図５に示された検眼用フレーム２０は、２つのフォルダ部２１とフレーム部２２を備える。
【００５７】
フォルダ部２１は、検眼レンズ１０を装填するための構造を備える。２つのフォルダ部２１は、それぞれ、被検者の２つの目に対応する。フォルダ部２１の上部は、検眼レンズ１０を上部から挿入できるように、開口している。また、フォルダ部２１の下部は、検眼レンズ１０を載置するため、凹状になっている。
【００５８】
なお、フォルダ部２１は、複数の検眼レンズを装填するための構造を備えることが好ましい。複数の検眼レンズの組み合わせによって、単一の検眼レンズよりも、多くの種類の度数が、提供可能になる。これにより、矯正視力を高めることができる。
【００５９】
また、フォルダ部２１は、検眼レンズ１０がフォルダ部２１から落ちないように、止め具を備えてもよい。また、フォルダ部２１は、検眼レンズ１０を載置するための面を有さず、止め具によって、検眼レンズを保持するような形状であってもよい。
【００６０】
フレーム部２２は、被検者が検眼用フレーム２０を耳にかけて装着するための構造を備える。フレーム部２２は、２つのフォルダ部２１を連結するブリッジと、２つのフォルダ部２１のそれぞれに連結された２つのテンプルとを備える。２つのテンプルは、それぞれ、被検者の２つの耳に対応する。被検者は、２つのテンプルを耳にかけることにより、検眼用フレーム２０を装着する。フレーム部２２のブリッジおよびテンプルは、被検者に応じて、長さを変更できるようにしてもよい。これにより、フレーム部２２は、様々な被検者に適した構造に変形できる。
【００６１】
例えば、フレーム部２２のブリッジの長さが、４６ｍｍ〜８０ｍｍのＰＤ（Ｐｕｐｉｌｌａｒｙ  Ｄｉｓｔａｎｃｅ：瞳孔間距離）に対応できるように、調整可能であってもよい。これにより、フレーム部２２は、子供から大人まで、様々な被検者に対応できる。
【００６２】
また、フレーム部２２は、位置の調整が可能なノーズパッドを備えてもよい。これにより、被検者の目と鼻の距離に応じて、フォルダ部２１からノーズパッドまでの距離が調整可能になる。したがって、フレーム部２２は、さらに、様々な被検者に対応できる。
【００６３】
フォルダ部２１およびフレーム部２２は、検眼レンズ１０のリム１２および摘み部１３等と同様に、磁性を帯びない非磁性体で形成されている。これにより、検眼用フレーム２０は、全体として、磁性を帯びない非磁性体で構成される。したがって、検眼用フレーム２０は、磁場への影響を抑制できる。よって、ＭＲＩ装置が利用されている環境下において、被検者は、検眼用フレーム２０を用いることができる。
【００６４】
なお、フォルダ部２１およびフレーム部２２は、通常のプラスチックよりも強度のある、硬質ビニル、硬質シリコンまたは軟質塩化ビニル等で形成されていることが好ましい。また、さらに強度のある純チタンで形成されていてもよい。これにより、検眼用フレーム２０の耐久性が向上する。
【００６５】
図６は、図１に示された検眼レンズ１０と図５に示された検眼用フレーム２０とを組み合わせて利用したときの概念図である。
【００６６】
被検者は、検眼用フレーム２０を装着する。そして、検眼レンズ１０が、検眼用フレーム２０のフォルダ部２１に装填される。これにより、被検者は、検眼レンズ１０を介して、物体を見ることができる。
【００６７】
なお、上述の通り、フォルダ部２１には、複数の検眼レンズが装填されてもよい。また、止め具等によって、検眼レンズが装填されてもよい。
【００６８】
上述のように組み合わされた検眼レンズ１０および検眼用フレーム２０は、全体として、磁性を帯びない非磁性体で構成される。これにより、ＭＲＩ装置が利用されている環境下において、被検者は、検眼レンズ１０および検眼用フレーム２０を用いることができる。
【００６９】
次に、本実施の形態におけるＭＲＩ装置について説明する。
【００７０】
図７は、本実施の形態におけるＭＲＩ装置を利用したときの概念図である。
【００７１】
図７に示されたＭＲＩ装置３０は、本体部３１と寝台３２と表示部３３と頭部格納部３７とミラー３８と検眼レンズ１０と検眼用フレーム２０とを備える。
【００７２】
本体部３１は、磁場を発生させ、被検者４０の生体内をスキャンする。本体部３１には、被検者４０および寝台３２を入れるための開口部が設けられている。例えば、本体部３１の形状は、図７に示されているように、断面が円形の筒状になっている。
【００７３】
寝台３２は、被検者４０を乗せるための平面状の台であって、本体部３１の開口部に進入できるような可動式の台である。
【００７４】
表示部３３は、画像を表示することにより、被検者４０に画像を提示する。
【００７５】
頭部格納部３７は、被検者４０の頭部を格納し、被検者４０の頭部を固定するための構造を備える。例えば、頭部格納部３７の形状は、図７に示されているように、筒状になっている。
【００７６】
ミラー３８は、頭部格納部３７の上部に備えられた反射板である。ミラー３８は、表示部３３に表示された画像を反射して、寝ている状態の被検者４０に画像を提示する。なお、図７では、１個のミラー３８が示されているが、複数のミラーが用いられてもよい。
【００７７】
被検者４０は、検眼レンズ１０を装填した検眼用フレーム２０を装着する。そして、被検者４０は、寝台３２に乗り、頭部を頭部格納部３７に格納する。これにより、被検者４０は、検眼レンズ１０およびミラー３８を介して、表示部３３に表示された画像を見ることができる。
【００７８】
図８は、図７に示されたＭＲＩ装置３０の構成図である。
【００７９】
本体部３１は、磁場発生部３４とスキャン部３５とを備える。
【００８０】
磁場発生部３４は、磁場を発生させる。具体的には、磁場発生部３４は、永久磁石、伝導磁石等の磁石を用いて、磁場を発生させる。
【００８１】
スキャン部３５は、被検者４０の内部をスキャンすることにより、データを収集する。具体的には、スキャン部３５は、コイル等で形成され、磁場共鳴信号を受信することにより、データを収集する。
【００８２】
画像生成部３６は、スキャン部３５により収集されたデータを用いて、被検者４０の内部の画像を生成する。画像生成部３６は、本体部３１に内蔵されてもよいし、表示部３３に内蔵されてもよい。または、画像生成部３６は、独立した筐体において、実現されてもよい。
【００８３】
表示部３３は、画像生成部３６により生成された画像を表示する。
【００８４】
被検者４０は、検眼レンズ１０を装填した検眼用フレーム２０を装着し、検眼レンズ１０およびミラー３８を介して、表示部３３に表示された画像を閲覧する。
【００８５】
なお、検眼用フレーム２０は、頭部格納部３７と衝突しないような形状であることが好ましい。または、検眼用フレーム２０は、頭部格納部３７と衝突しないように、変形できてもよい。あるいは、頭部格納部３７が検眼用フレームとして、検眼レンズ１０を装填できるように形成されてもよい。
【００８６】
また、ＭＲＩ装置３０が、頭部格納部３７およびミラー３８を有していない場合もある。このような場合にも、画像を被検者４０に提示できる構成を以下に説明する。
【００８７】
図９は、図５に示された検眼用フレーム２０の変形例の構成図である。図９に示された検眼用フレーム２０は、図５に示された検眼用フレーム２０と比較して、さらに、ミラー２３を備える。
【００８８】
ミラー２３は、画像等を反射する反射板であって、フォルダ部２１の前面に配置される。そして、ミラー２３には、傾斜が設けられている。そのため、被検者は、検眼用フレーム２０を装着した場合、前を向いた状態で、足元を見ることができる。また、ミラー２３は、磁性を帯びない非磁性体で形成されている。例えば、ミラー２３は、純チタン等により形成されている。
【００８９】
図１０は、図９に示された検眼用フレーム２０の詳細を示す図である。
【００９０】
検眼用フレーム２０は、フォルダ部２１の位置を調整するためのフォルダ調整部２４を備える。フォルダ調整部２４は、フォルダ部２１に接合されている。さらに、フォルダ調整部２４は、左右にスライド可能である。これにより、２つのフォルダ部２１の間の距離が調整可能になる。したがって、検眼用フレーム２０は、上述の４６ｍｍ〜８０ｍｍのＰＤに対応できる。
【００９１】
また、検眼用フレーム２０は、ノーズパッド調整部２５および２つのノーズパッド２６を備える。ノーズパッド調整部２５は、２つのノーズパッド２６に接合されている。さらに、ノーズパッド調整部２５は、上下にスライド可能である。これにより、２つのノーズパッド２６の位置が調整可能になる。したがって、検眼用フレーム２０は、様々な被検者の目と鼻の距離に対応できる。
【００９２】
フォルダ調整部２４、ノーズパッド調整部２５およびノーズパッド２６は、磁性を帯びない非磁性体で形成されている。これにより、ＭＲＩ装置での核磁気共鳴現象への影響が抑制される。また、フォルダ調整部２４、ノーズパッド調整部２５およびノーズパッド２６は、通常のプラスチックよりも強度のある、硬質ビニル、硬質シリコンまたは軟質塩化ビニル等で形成されていることが好ましい。また、さらに強度のある純チタンで形成されていてもよい。これにより、検眼用フレーム２０の耐久性が向上する。
【００９３】
なお、図９および図１０に示された検眼用フレーム２０の構造は、一例にすぎない。ミラー２３とフレーム部２２とが接合するための形態は、被検者が前を向いた状態で、ミラー２３により足元を見ることができる別の形態であってもよい。また、複数のミラーが用いられてもよい。
【００９４】
そして、図９および図１０に示された検眼用フレーム２０は、全体として、磁性を帯びない非磁性体で形成されている。これにより、磁場への影響が抑制される。したがって、ＭＲＩ装置が利用されている環境下において、被検者は、検眼用フレーム２０を用いることができる。
【００９５】
図１１は、図９に示された検眼用フレーム２０の利用時の概念図である。
【００９６】
図１１に示されたＭＲＩ装置３０には、図８に示された頭部格納部３７およびミラー３８が備えられていない。このような場合、被検者４０は、図９に示された検眼用フレーム２０を装着する。そして、検眼用フレーム２０には、検眼レンズ１０が装填される。
【００９７】
これにより、被検者４０は、検眼レンズ１０およびミラー２３を介して、表示部３３に表示された画像を見ることができる。
【００９８】
なお、ＭＲＩ装置３０が、被検者４０に提示するための表示部３３を備えていない場合がある。このような場合であっても、閉空間に収容された被検者４０は、検眼用フレーム２０によって、閉空間の外の様子を観察することができる。したがって、被検者４０が閉所恐怖症である場合でも、恐怖感が緩和される。
【００９９】
以上、実施の形態で示された検眼レンズ１０は、磁性を帯びない非磁性体で形成され、ＭＲＩ装置が利用されている環境下において、使用できる。これにより、視力の弱い被検者が、ＭＲＩ装置による検査を受ける場合でも、提示される画像等を確認することができる。また、実施の形態で示された検眼レンズ１０は、ガラスレンズを用いているため、プラスチックレンズを用いる場合よりも、より強い度数を提供でき、より多くの被検者に対応できる。
【０１００】
また、実施の形態で示された検眼用フレーム２０は、磁性を帯びない非磁性体で形成され、ＭＲＩ装置が利用されている環境下において、使用できる。そして、検眼用フレーム２０は、磁性を帯びない非磁性体で形成されている検眼レンズ１０と組み合わせて使用することができる。
【０１０１】
また、実施の形態で示されたＭＲＩ装置３０は、検査中、視力の弱い被検者に画像等を確認させることができる。
【０１０２】
また、実施の形態で示された検眼レンズ１０のリム１２および摘み部１３等は、レンズの度数に応じた専用の金型を必要としない。そのため、製造コストが抑制される。また、レンズの度数が異なる複数の検眼レンズを用いることにより、被検者に応じた検眼レンズの提供が可能である。そして、実施の形態で示された検眼レンズ１０および検眼用フレーム２０の製造コストは、ＭＲＩ装置で検査を受ける被検者に応じて眼鏡を製造する場合の製造コストよりも、低減されることは明らかである。
【０１０３】
また、実施の形態で示された検眼レンズ１０および検眼用フレーム２０は、当然、検眼に用いられる補助具として、使用可能である。
【０１０４】
なお、本考案に係る検眼レンズ、検眼用フレームおよびＭＲＩ装置について、実施の形態に基づいて説明したが、本考案は、実施の形態に限定されるものではない。実施の形態に対して当業者が思いつく変形を施して得られる別の形態も本考案に含まれる。また、実施の形態における各構成要素を任意に組み合わせて実現される別の形態も本考案に含まれる。そして、本考案は、ＭＲＩ装置に検眼レンズおよび検眼用フレームを用いる方法としても、利用できる。
【産業上の利用可能性】
【０１０５】
本考案に係る検眼レンズは、磁場への影響を低減させることができ、ＭＲＩ装置等に有用である。
【符号の説明】
【０１０６】
１０  検眼レンズ
１１  ガラスレンズ
１２  リム
１３  摘み部
１４  ネジ
２０  検眼用フレーム
２１  フォルダ部
２２  フレーム部
２３、３８  ミラー
２４  フォルダ調整部
２５  ノーズパッド調整部
２６  ノーズパッド
３０  ＭＲＩ装置
３１  本体部
３２  寝台
３３  表示部
３４  磁場発生部
３５  スキャン部
３６  画像生成部
３７  頭部格納部
４０  被検者
【図１】
0003159777.tif 000003
【図２】
0003159777.tif 000004
【図３】
0003159777.tif 000005
【図４】
0003159777.tif 000006
【図５】
0003159777.tif 000007
【図６】
0003159777.tif 000008
【図７】
0003159777.tif 000009
【図８】
0003159777.tif 000010
【図９】
0003159777.tif 000011
【図１０】
0003159777.tif 000012
【図１１】
0003159777.tif 000013